(57)【要約】【課題】消費電力を増やさず、またコンパクト性を損なうことなく低温環境時に輝度不足とならない、ならびに液晶の応答性が低下しない液晶表示装置を提供することを目的とする。【解決手段】画素選択用の電極３２を備えた液晶パネル２４、および液晶パネル２４の近傍に設置された冷陰極管２６が筐体２２の内側に収納された液晶表示部１２と、電極３２を駆動する駆動部３８を含む本体部１４とがヒンジ部１６を介して接続された液晶表示装置であって、駆動部３８で発生する熱により暖められた空気を冷陰極管２６および液晶パネル２４の周囲に導く空気流通路４２を設けた構成とする。【選択図】図２
2008268687.tif 000002
【特許請求の範囲】
【請求項１】
画素選択用の電極を備えた液晶パネルおよび前記液晶パネルの近傍に設置された冷陰極管が筐体の内側に収納された液晶表示部と、前記電極を駆動する駆動部を含む本体部とがヒンジ部を介して接続された液晶表示装置であって、
前記駆動部で発生する熱により暖められた空気を前記冷陰極管および前記液晶パネルの周囲に導く空気流通路を設けたことを特徴とする液晶表示装置。
【請求項２】
前記液晶パネルは、その端部が衝撃を吸収するダンパーにより挟まれて前記筐体に保持されているとともに、前記ダンパーに前記空気を流通させる孔が設けられていることを特徴とする請求項１記載の液晶表示装置。
【請求項３】
前記空気流通路は、前記駆動部の発熱する箇所を覆う覆い部と、前記覆い部の端部から前記ヒンジ部の近傍までの接続流路と、前記接続流路に接続され前記ヒンジ部の内側を通るヒンジ内流路と、前記ヒンジ内流路の端部から前記冷陰極管および前記液晶パネルの周囲までの表示部内流路とで形成されていることを特徴とする請求項１または請求項２記載の液晶表示装置。
【請求項４】
前記表示部内流路の出口は、前記液晶パネルと前記本体部に相対する側の前記筐体との間に設けられていることを特徴とする請求項３記載の液晶表示装置。
【請求項５】
前記ヒンジ内流路は、可撓性の材料で形成されていることを特徴とする請求項３または請求項４記載の液晶表示装置。
【発明の詳細な説明】
【技術分野】
【０００１】
本発明は、液晶表示装置に関し、特に冷陰極管のバックライトを用いた液晶表示装置に関する。
【背景技術】
【０００２】
液晶表示装置は、液晶パネルが非発光であるため、液晶パネルの背後から照明装置であるバックライトを照射させることによって画像を表示している。バックライトとしては、見やすさの観点から高輝度かつ平面光源であることが求められている。そのためバックライトには、電極の構造が簡単で細い形状の蛍光管を形成できる冷陰極管が用いられることが多い。
【０００３】
冷陰極管は多くの場合、水銀が封入されている。そして、冷陰極管の電極から飛び出した電子が気化した水銀を励起し、紫外線を放出して冷陰極管の内側に塗布された蛍光体にあたって可視光を発する。その際、冷陰極管が低温であるほど水銀蒸気圧が低いため、励起される水銀も少なくなり輝度不足となる。
【０００４】
また、液晶表示装置に用いられる液晶には高速応答性が要求されるが、応答性には液晶の粘性が関係するため、低温であるほど応答性が低下してしまう。
【０００５】
そこで、冷陰極管および液晶の低温対策のために、ヒータを内蔵した液晶表示装置がいくつか提案されている。例えば冷陰極管の低温環境時の対策として、冷陰極管の内部または近傍に発熱体を配置し、液晶表示装置に電源投入とともに冷陰極管を加熱する方法が提案されている（例えば、特許文献１参照）。特許文献１の液晶表示装置の発熱体は、温度変化に対する抵抗値の変化が正温度特性を有し、発熱量が低温時には大きく、温度上昇に従って減少するものが用いられている。
【特許文献１】特開平１１−２８３７５９号公報
【発明の開示】
【発明が解決しようとする課題】
【０００６】
ところで液晶表示装置である、例えばノート型パーソナルコンピュータ、携帯端末機器などは、薄型が特徴でありコンパクト性とともに、低消費電力が要求されている。しかしながら、特許文献１のような方法では発熱体であるヒータを設けるため、消費電力が増えるとともに、サイズも大きくなってしまうという課題がある。
【０００７】
本発明は上記課題に鑑みてなされたものであり、消費電力を増やさず、またコンパクト性を損なうことなく低温環境時に輝度不足とならない、ならびに液晶の応答性が低下しない液晶表示装置を提供することを目的とする。
【課題を解決するための手段】
【０００８】
上記の目的を達成するために本発明は、画素選択用の電極を備えた液晶パネルおよび液晶パネルの近傍に設置された冷陰極管が筐体の内側に収納された液晶表示部と、電極を駆動する駆動部を含む本体部とがヒンジ部を介して接続された液晶表示装置であって、駆動部で発生する熱により暖められた空気を冷陰極管および液晶パネルの周囲に導く空気流通路を設けた構成とする。
【０００９】
空気流通路を設けることで、駆動部で発生する熱により暖められた空気が効率よく冷陰極管および液晶パネルの周囲に導かれるため、低温環境時であっても冷陰極管および液晶パネルを暖めることができる。このようにヒータなどの発熱手段を用いることがないので、消費電力を増やさず、またコンパクト性を損なうことなく低温環境時に輝度不足とならない、ならびに液晶の応答性が低下しない液晶表示装置を提供できる。
【００１０】
また本発明の液晶表示装置の液晶パネルは、その端部が衝撃を吸収するダンパーにより挟まれて筐体に保持されているとともに、ダンパーに空気を流通させる孔が設けられている構成としてもよい。
【００１１】
このような液晶表示装置とすると、ダンパーに設けられた孔から空気を流通させることができるため、衝撃を吸収する構成の液晶表示装置であっても、低温環境時に冷陰極管および液晶パネルを暖めることができる。
【００１２】
また本発明の液晶表示装置の空気流通路は、駆動部の発熱する箇所を覆う覆い部と、覆い部の端部からヒンジ部の近傍までの接続流路と、接続流路に接続されヒンジ部の内側を通るヒンジ内流路と、ヒンジ内流路の端部から冷陰極管および液晶パネルの周囲までの表示部内流路とで形成されている構成としてもよい。
【００１３】
このような構成の空気流通路は、覆い部が駆動部の発熱により暖められた空気を漏らさないように効率的に集めることができる。そして、接続流路とヒンジ部の内側を通るヒンジ内流路と、表示部内流路とにより、冷陰極管および液晶パネルの周囲へ暖かい空気を導くことができる。
【００１４】
また本発明の液晶表示装置の空気流通路の表示部内流路の出口は、液晶パネルと本体部に相対する側の筐体との間に設けられていてもよい。
【００１５】
空気流通路の表示部内流路の出口が、このような位置に設けられると駆動部からの暖かい空気は、液晶パネルと本体部に相対する側の筐体との間、すなわち液晶パネルと表示面側の筐体との間に入っていく。液晶表示装置が、折り畳まれた状態で電源を入れられても、駆動部で暖められた空気は、液晶パネルの下側の筐体との間に入る。そして、対流作用によりダンパーの孔を通って液晶パネルの上側にも循環して、冷陰極管および液晶パネルを効率よく暖めることができる。
【００１６】
また本発明の液晶表示装置の空気流通路のヒンジ内流路は、可撓性の材料で形成されてもよい。
【００１７】
ヒンジ内流路はヒンジ部の内側に設けられるため、回転による引っ張りやねじれの力が加わりやすいが、可撓性の材料で形成することによって、引っ張りやねじれの力が加わっても容易に破断することはない。
【発明の効果】
【００１８】
本発明によれば、駆動部で暖められた空気が空気流通路により冷陰極管および液晶パネルの周囲に導かれるため、消費電力を増やさず、またコンパクト性を損なうことなく低温環境時に輝度不足とならない、ならびに液晶の応答性が低下しない液晶表示装置を提供できる。
【発明を実施するための最良の形態】
【００１９】
以下、本発明の実施の形態の液晶表示装置について図面を用いて説明する。
【００２０】
（実施の形態）
本発明の実施の形態の液晶表示装置として、ノートブック型パーソナルコンピュータ（以下、「ノートＰＣ」と記す）を例に説明する。図１は本発明の実施の形態のノートＰＣの外観斜視図、図２は図１のノートＰＣを平面Ａで切断した断面図である。
【００２１】
図１に示すようにノートＰＣ１０は、表示画面１１を備えた液晶表示部１２と、本体部１４とがヒンジ部１６により接続された構成である。本体部１４の液晶表示部１２に相対する面には、キーボード１８、マウスパッド２０が備えられている。
【００２２】
また図２に示すように液晶表示部１２は、筐体２２の内側に液晶パネル２４が収納されている。そして液晶パネル２４の近傍の下方には、バックライトである冷陰極管２６が設置されている。さらに液晶パネル２４は、その端部が衝撃を吸収するダンパー２８ａ、２８ｂ、２９により挟まれ保持されている。
【００２３】
ここで液晶パネル２４の概略の構成は、図２の中の拡大図Ｂに示すように液晶３０および画素選択用の電極３２が２枚のガラス基板３３、３４に挟まれている。液晶の駆動には、非晶質Ｓｉ薄膜をエッチングして作製したａ−Ｓｉ形薄膜トランジスタや、石英基板上などに形成された非晶質Ｓｉ薄膜をレーザ照射し、徐冷して結晶粒を成長させた多結晶Ｓｉ形薄膜トランジスタが用いられる。そしてａ−Ｓｉ形薄膜トランジスタ、多結晶Ｓｉ形薄膜トランジスタがスイッチの役割を果たして、個々の電極３２に電圧をかけるかどうかの選択を行う。その結果、個々の電極３２からの電位により所定範囲の液晶３０の向きが決定され、冷陰極管２６からの光を通すか、通さないかで必要な画素を選択する。
【００２４】
また本体部１４は、電極３２を駆動するＣＰＵ３６などからなる駆動部３８を備えている。ヒンジ部１６は軸４０を中心に回転し、液晶表示部１２と本体部１４とを接続している。そして空気流通路４２が、本体部１４からヒンジ部１６の内側を通り液晶表示部１２まで設けられている。
【００２５】
図３は、本発明の実施の形態のノートＰＣの空気流通路の斜視図である。空気流通路４２は、ＣＰＵ３６を覆う覆い部４４、接続流路４６、ヒンジ内流路４８、および表示部内流路５０により構成されている。そして空気流通路４２は、ＣＰＵ３６やメモリー３９を備えた駆動部３８の上面から液晶表示部１２まで設けられた流路である。
【００２６】
覆い部４４は、ＣＰＵ３６の外形より大きな開口部４５を有し、暖かい空気を効率よく集めるために開口部４５の四辺に設けた覆い４４ａおよび天面４４ｂで構成されている。接続流路４６は、覆い部４４のヒンジ部１６に近い側の端部から２ヶ所あるヒンジ部１６の近傍までの本体部１４に設けられた筒状の流路であり、図３に示すように分岐されている。
【００２７】
ヒンジ内流路４８は、接続流路４６に接続されヒンジ部１６の内側を通る筒状の流路であり、合成ゴムなどのゴム状物質やエポキシ樹脂などの樹脂からなる可撓性の材料で形成されている。図２に示すように、ヒンジ部１６は軸４０を中心に回転するためヒンジ内流路４８には、引っ張りやねじれの力が加わるが、ヒンジ内流路４８をこのような可撓性の材料で形成することで容易に破断することもなくなる。
【００２８】
表示部内流路５０は、ヒンジ内流路４８の液晶表示部１２内に設けた端部から冷陰極管２６および液晶パネル２４の周囲まで設けられた筒状の流路である。そして表示部内流路５０の出口５１を、液晶パネル２４と本体部１４に相対する側の筐体２２との間に設ける。このことにより、ノートＰＣ１０が、液晶表示部１２と本体部１４とが折り畳まれた状態で電源を入れられても、駆動部３８で暖められた空気は、液晶パネル２４の下側の筐体２２との間に入る。その結果、液晶表示部１２全体が導入された空気により暖められる。
【００２９】
図４は、図２のＣ−Ｃ線断面図である。上述したように液晶パネル２４は、その端部が衝撃を吸収するダンパー２８ａ、２８ｂ、２９により挟まれて筐体２２に保持されている。そして、ダンパー２８ａ、２８ｂ、２９には、それぞれ空気を流通させる孔５２ａ、５２ｂ、５４が設けられている。
【００３０】
以上の構成のノートＰＣ１０に、電源が投入されて以降のノートＰＣ１０内の空気の動きについて図１〜図４を用いて説明する。電源の投入とともに、ＣＰＵ３６が稼動を始める。ＣＰＵ３６は駆動周波数が大きくなるほど、発熱量も大きくなる。そしてＣＰＵ３６で暖められた空気は、密度の関係から上昇し、空気流通路４２の覆い部４４で捕捉され、接続流路４６に送られる。そしてヒンジ内流路４８、表示部内流路５０を通って、冷陰極管２６および液晶パネル２４の周囲に導かれる。
【００３１】
さらに暖められた空気は、図２の矢印に示すようにダンパー２８ａの孔５２ａを通り液晶パネル２４に沿って流れ、ダンパー２８ｂの孔５２ｂからダンパー２９の孔５４を通って再び液晶パネル２４に沿って流れる。そしてダンパー２８ｂの孔５２ｂを通り本体部１４に戻る。
【００３２】
このようにＣＰＵ３６で暖められた空気は、空気流通路４２により効率よく冷陰極管２６および液晶パネル２４の周囲に送られる。その結果、ヒータも必要ないため消費電力を増やさず、またコンパクト性を損なうことなく低温環境時であっても輝度不足とならない、ならびに液晶の応答性が低下しないノートＰＣを提供できる。
【産業上の利用可能性】
【００３３】
以上述べたように本発明の液晶表示装置は、低温環境時でも輝度不足とならず、ならびに液晶の応答性が低下することはなく、特に冷陰極管のバックライトを用いた場合に有用である。
【図面の簡単な説明】
【００３４】
【図１】本発明の実施の形態のノートＰＣの外観斜視図
【図２】図１のノートＰＣを平面Ａで切断した断面図
【図３】本発明の実施の形態のノートＰＣの空気流通路の斜視図
【図４】図２のＣ−Ｃ線断面図
【符号の説明】
【００３５】
１０    ノートＰＣ（液晶表示装置）
１１    表示画面
１２    液晶表示部
１４    本体部
１６    ヒンジ部
１８    キーボード
２０    マウスパッド
２２    筐体
２４    液晶パネル
２６    冷陰極管
２８ａ，２８ｂ，２９    ダンパー
３０    液晶
３２    電極
３３，３４    ガラス基板
３６    ＣＰＵ
３８    駆動部
３９    メモリー
４０    軸
４２    空気流通路
４４    覆い部
４４ａ    覆い
４４ｂ    天面
４５    開口部
４６    接続流路
４８    ヒンジ内流路
５０    表示部内流路
５１    出口
５２ａ，５２ｂ，５４    孔
【図１】
2008268687.tif 000003
【図２】
2008268687.tif 000004
【図３】
2008268687.tif 000005
【図４】
2008268687.tif 000006